(57)【要約】【課題】  コストアップ無しに、複写に用いる記録用紙のサイズ及び種類を容易かつ短時間に設定することが可能な操作部表示装置とこれを用いた画像形成装置、及び操作部表示方法を提供する。【解決手段】  画像形成装置の操作部表示装置において、ユーザが複数の複写条件を設定するためのコピー表示画面と、複数の給紙トレイのそれぞれに対して、記録用紙のサイズを設定するための設定画面及び／又は記録用紙の種類を設定するための設定画面を設け、コピー表示画面上において、所定のサイズと向きを有する記録用紙及びその記録用紙が収納される所定の給紙トレイが示された表示キー１０４を一定時間押下することにより、コピー表示画面の代わりに、一定時間押下される表示キー１０４が示す所定の給紙トレイに収納される記録用紙のサイズを設定する上記記録用紙のサイズを設定する設定画面が表示されるようにする。【選択図】  図１
2005308829.tif 000002
【特許請求の範囲】
【請求項１】
ユーザが複数の複写条件を設定するためのコピー表示画面と、複数の給紙トレイのそれぞれに対して、記録用紙のサイズを設定するための設定画面及び／又は記録用紙の種類を設定するための設定画面とを備えた操作部表示装置であって、
前記コピー表示画面上において、所定のサイズと向きを有する記録用紙及びその記録用紙が収納される所定の給紙トレイが示された表示キーを一定時間押下することにより、該コピー表示画面の代わりに、前記一定時間押下される表示キーが示す所定の給紙トレイに収納される記録用紙のサイズを設定する前記記録用紙のサイズを設定する設定画面が表示されることを特徴とする操作部表示装置。
【請求項２】
前記記録用紙のサイズを設定するための設定画面は、Ａ３サイズ等の規定サイズ及び規定サイズ以外の特殊サイズの設定をするための表示キーを備えたことを特徴とする請求項１記載の操作部表示装置。
【請求項３】
前記記録用紙の種類を設定するための設定画面は、再生紙やトレーシングペーパ等の記録用紙の種類の設定をするための表示キーを備えたことを特徴とする請求項１又は２に記載の操作部表示装置。
【請求項４】
請求項１から３に記載の操作部表示装置を備えたことを特徴とする画像形成装置。
【請求項５】
ユーザが複数の複写条件を設定するためのコピー表示画面と、複数の給紙トレイのそれぞれに対して、記録用紙のサイズを設定するための設定画面及び／又は記録用紙の種類を設定するための設定画面とを備えた操作部表示装置の操作部表示方法であって、
前記コピー表示画面上において、所定のサイズと向きを有する記録用紙及びその記録用紙が収納される所定の給紙トレイが示された表示キーを一定時間押下することにより、該コピー表示画面の代わりに、前記一定時間押下される表示キーが示す所定の給紙トレイに収納される記録用紙のサイズを設定する前記記録用紙のサイズを設定する設定画面が表示されることを特徴とする操作部表示方法。
【請求項６】
前記記録用紙のサイズを設定するための設定画面は、Ａ３サイズ等の規定サイズ及び規定サイズ以外の特殊サイズの設定をするための表示キーを表示することを特徴とする請求項５記載の操作部表示方法。
【請求項７】
前記記録用紙の種類を設定するための設定画面は、再生紙やトレーシングペーパ等の記録用紙の種類の設定をするための表示キーを表示することを特徴とする請求項５又は６に記載の操作部表示方法。
【発明の詳細な説明】
【技術分野】
【０００１】
本発明は、複数サイズの記録用紙をそれぞれ収納保持する複数の給紙トレイを備えた画像形成装置に設けられる操作部表示装置とこれを用いた画像形成装置、及び操作部表示方法に関する。
【背景技術】
【０００２】
一般に、カラー複写機やプリンタ等の画像形成装置は、複数サイズの記録用紙を選択的に収納保持することができるユニバーサル給紙トレイ（複数の給紙トレイからなる。）と称されるものを備えている。そして、ユーザは、操作パネル上で複写を希望する記録用紙サイズを設定して複写を実行することができる。ここで、カラー複写機が、複数の給紙トレイに収納されている様々なサイズの記録用紙の中からユーザが希望するサイズの記録用紙をどのように選択して複写を実行するかについて以下に説明する。
【０００３】
例えば、カラー複写機における給紙トレイの設置箇所が上段、中段、下段の３段構成となっているカラー複写機を例として説明する。このカラー複写機では、上段に設置される給紙トレイにはＡ４サイズの記録用紙、中段に設置される給紙トレイにはＡ３サイズの記録用紙、下段に設置される給紙トレイにはＢ５サイズの記録用紙というように、給紙トレイの設置されている位置により記録用紙のサイズを判断し、ユーザが操作パネル上で設定した用紙サイズに合う記録用紙の収納された給紙トレイを選択して、選択した給紙トレイに収納された記録用紙を用いて複写を実行している。
【０００４】
つまり、カラー複写機は、カラー複写機の給紙トレイ設置部の上段にはＡ４サイズの記録用紙を収納する給紙トレイ、中段にはＡ３サイズの記録用紙を収納する給紙トレイが、下段にはＢ５サイズの記録用紙を収納する給紙トレイが設置されているという情報を予め記録しており、該情報に基づいて、ユーザが指定した用紙サイズの記録用紙が収納された給紙トレイを選択し、適切なサイズの記録用紙を用いて複写を実行している。
【０００５】
一方、特許文献１には、複数の給紙トレイ毎に設置され、各給紙トレイ内に収納された記録用紙サイズを検知し、検知した記録用紙サイズの情報を画像形成装置本体へ告知する記録用紙サイズ告知手段に関する技術が開示されている。この記録用紙サイズ告知手段は、給紙トレイに収納された記録用紙のサイズ（どの規定サイズであるか、又は特殊サイズであるか）を検知することができるというものである。
【特許文献１】特開平１０−９５５３８号公報
【発明の開示】
【発明が解決しようとする課題】
【０００６】
しかし、ユーザがカラー複写機を使用する場合に、常に、所定の給紙トレイに、対応する記録用紙が収納されるとは限らない。用紙切れや特殊サイズの記録用紙を用いて複写をしたい場合等の諸事情により、本来、所定の給紙トレイに収納されるべき所定の用紙サイズの記録用紙以外の記録用紙を用いて複写をする場合がある。また、複写に用いる記録用紙の種類が特殊紙、再生紙、トレーシングペーパ等異なる場合もある。例えば、Ｂ５サイズの記録用紙切れ等のため、Ｂ５サイズ専用の給紙トレイにＡ５サイズの記録用紙を入れて複写をしようとする場合や特殊サイズの記録用紙をＢ５サイズ専用の給紙トレイに入れて複写をしようとする場合などである。
【０００７】
これらの場合には、カラー複写機は、Ｂ５サイズ専用の給紙トレイには、Ｂ５サイズの記録用紙が収納されているのではなく、ユーザが複写を希望するＢ５サイズ以外の記録用紙が収納されていると認識し、複写を実行する必要がある。そのためには、カラー複写機が予め記録している情報（機内の下段にＢ５サイズ専用の給紙トレイが設置されており、該給紙トレイに収納されている記録用紙のサイズはＢ５であるという情報）を書き換える必要がある。この書き換えは、ユーザがカラー複写機の操作パネル上で、給紙トレイとこれに対応する記録用紙のサイズ及び／又は種類に関する情報を設定することにより行う。しかし、従来は、この設定をするための設定画面を操作パネル上に表示させるまでの操作方法が複雑で覚えにくく、時間もかかってしまうという問題があった。
【０００８】
また、上述した特許文献１に開示されている記録用紙サイズ告知手段を用いて各給紙トレイ内に収納された記録用紙サイズを検知し、検知した記録用紙サイズの情報を画像形成装置本体へ告知することにより、給紙トレイに収納される記録用紙の用紙サイズがどのサイズであっても適切に複写を行うような装置構成とすることも可能である。しかし、この場合は、給紙トレイ毎に記録用紙サイズ告知手段を設置する必要があるためコストアップとなり経済性の観点から好ましくない。
【０００９】
本発明は、上記のような問題点に鑑み、画像形成装置における操作部表示装置の設定画面上で、１つの表示キーを長く触れるという簡単な操作で複写に用いる記録用紙のサイズ及び／又は種類の設定画面を表示させ、容易に複写に用いる給紙トレイに収納された記録用紙のサイズ及び／又は種類の設定をすることが可能な設定画面を設けることにより、装置のコストアップ無しに、複写に用いる記録用紙のサイズ及び種類を容易かつ短時間に設定することが可能な操作部表示装置とこれを用いた画像形成装置、及び操作部表示方法を提供することを目的とする。
【課題を解決するための手段】
【００１０】
請求項１記載の発明は、ユーザが複数の複写条件を設定するためのコピー表示画面と、複数の給紙トレイのそれぞれに対して、記録用紙のサイズを設定するための設定画面及び／又は記録用紙の種類を設定するための設定画面とを備えた操作部表示装置であって、前記コピー表示画面上において、所定のサイズと向きを有する記録用紙及びその記録用紙が収納される所定の給紙トレイが示された表示キーを一定時間押下することにより、該コピー表示画面の代わりに、前記一定時間押下される表示キーが示す所定の給紙トレイに収納される記録用紙のサイズを設定する前記記録用紙のサイズを設定する設定画面が表示される操作部表示装置としたことを特徴とする。
【００１１】
請求項２記載の発明は、前記記録用紙のサイズを設定するための設定画面は、Ａ３サイズ等の規定サイズ及び規定サイズ以外の特殊サイズの設定をするための表示キーを備えている請求項１記載の操作部表示装置としたことを特徴とする。
【００１２】
請求項３記載の発明は、前記記録用紙の種類を設定するための設定画面は、再生紙やトレーシングペーパ等の記録用紙の種類の設定をするための表示キーを備えている請求項１又は２に記載の操作部表示装置としたことを特徴とする。
【００１３】
請求項４記載の発明は、請求項１から３に記載の操作部表示装置を備えた画像形成装置としたことを特徴とする。
【００１４】
請求項５記載の発明は、ユーザが複数の複写条件を設定するためのコピー表示画面と、複数の給紙トレイのそれぞれに対して、記録用紙のサイズを設定するための設定画面及び／又は記録用紙の種類を設定するための設定画面とを備えた操作部表示装置の操作部表示方法であって、前記コピー表示画面上において、所定のサイズと向きを有する記録用紙及びその記録用紙が収納される所定の給紙トレイが示された表示キーを一定時間押下することにより、該コピー表示画面の代わりに、前記一定時間押下される表示キーが示す所定の給紙トレイに収納される記録用紙のサイズを設定する前記記録用紙のサイズを設定する設定画面が表示される操作部表示方法としたことを特徴とする。
【００１５】
請求項６記載の発明は、前記記録用紙のサイズを設定するための設定画面は、Ａ３サイズ等の規定サイズ及び規定サイズ以外の特殊サイズの設定をするための表示キーを表示する請求項５記載の操作部表示方法としたことを特徴とする。
【００１６】
請求項７記載の発明は、前記記録用紙の種類を設定するための設定画面は、再生紙やトレーシングペーパ等の記録用紙の種類の設定をするための表示キーを表示する請求項５又は６に記載の操作部表示方法としたことを特徴とする。
【発明の効果】
【００１７】
本発明によれば、画像形成装置における操作部表示装置の設定画面上で、１つの表示キーを長く触れるという簡単な操作で複写に用いる記録用紙のサイズ及び／又は種類の設定画面を表示させ、容易に複写に用いる給紙トレイに収納された記録用紙のサイズ及び／又は種類の設定をすることが可能な設定画面を設けることにより、装置のコストアップ無しに、複写に用いる記録用紙のサイズ及び種類を容易かつ短時間に設定することが可能となる。
【発明を実施するための最良の形態】
【００１８】
本発明を実施するための最良の形態は、画像形成装置の操作部表示装置において、ユーザが複数の複写条件を設定するためのコピー表示画面と、複数の給紙トレイのそれぞれに対して、記録用紙のサイズを設定するための設定画面及び／又は記録用紙の種類を設定するための設定画面を設け、コピー表示画面上において、所定のサイズと向きを有する記録用紙及びその記録用紙が収納される所定の給紙トレイが示された表示キーを一定時間押下することにより、コピー表示画面の代わりに、一定時間押下される表示キーが示す所定の給紙トレイに収納される記録用紙のサイズを設定する上記記録用紙のサイズを設定する設定画面が表示されるようにする。
【実施例】
【００１９】
以下に、本発明の好適な実施例を添付図面に基づいて詳細に説明する。尚、以下に述べる実施例は本発明の好適な具体例であるから、技術的に好ましい種々の限定が付されているが、本発明の範囲は、以下の説明において特に本発明を限定する旨の記載がない限り、これらの実施例に限られるものではない。
【００２０】
図１は、本発明を適用した画像形成装置に設けられた操作部表示装置におけるコピー表示画面である。ユーザは、このコピー表示画面上で希望するコピー条件の設定操作をして複写を実行する。図１に示すように、本実施例のコピー表示画面は、原稿種類キー１０１、濃度キー１０２、特殊原稿送りキー１０３、記録用紙サイズキー１０４、変倍キー１０５、シートキー１０６、スタックキー１０７、ステープルキー１０８、パンチキー１０９、両面／集約／分割キー１１０、表紙／合成キー１１１、編集キー１１２、両面／集約／分割キー１１３、変倍キー１１４から構成されている。
【００２１】
ユーザは、図１に示すコピー表示画面における記録用紙サイズキー１０４を押下し、記録用紙のサイズ（記録用紙の向きを含む。自動用紙選択を設定する場合は除く。）を選択して設定することにより、カラー複写機は、ユーザが複写を希望する記録用紙のサイズを判断する。また、ユーザが記録用紙サイズキー１０４の自動用紙選択を選択した場合は、カラー複写機は、複写に用いる原稿サイズをユーザのコピー表示画面における設定によらず、カラー複写機が備えているスキャナ等を用いて読み取り、複写に必要な記録用紙のサイズを判断する。
【００２２】
ところで、従来は、カラー複写機は、予め記憶している機内の各位置に設置された給紙トレイに収納されるべき記録用紙の用紙サイズの情報を基に、ユーザが指定した記録用紙の用紙サイズと合致する記録用紙が収納されている給紙トレイを選択し、適切な記録用紙を取り出して複写を実行していた。つまり、従来のユーザによるコピー表示画面上の記録用紙サイズに関する設定は、複写に必要な記録用紙の用紙サイズを設定するとともに、設定された用紙サイズの記録用紙が収納されている給紙トレイを同時に選択していた。
【００２３】
以上説明したような従来の複写に用いる記録用紙の設定のみでは、既に説明したように、例えば、用紙切れや特殊サイズの記録用紙あるいは再生紙やトレーシングペーパ等の種類の異なる記録用紙を用いて複写をしたい場合、つまり、複写に用いる給紙トレイに収納されるべき所定の記録用紙以外の記録用紙を給紙トレイに収納して複写を実行する場合には、ユーザが操作部表示装置の設定画面上で複雑なキー操作を行い、予め装置が記録している給紙トレイとこれに対応する記録用紙のサイズや種類等の情報を変更するための設定画面を表示させ、該設定画面上で必要な設定をする必要があった。このような従来の記録用紙に関する複写条件の設定方法は、キー操作に長時間を要し、また、キー操作の方法も複雑で覚えにくいという問題があった。
【００２４】
そこで、本実施例の操作部表示装置では、画像形成装置に設けられた複数の給紙トレイに収納される記録用紙のサイズを設定する設定画面及び記録用紙の種類を設定する設定画面を新たに設けることにより、上述した従来の課題の解決を図る。これらの設定画面は、各給紙トレイ毎に設け、また、１つの給紙トレイに対して、記録用紙のサイズ設定をする設定画面と記録用紙の種類を設定する設定画面をそれぞれ１つずつ設ける。
【００２５】
図２に、本実施例の給紙トレイに収納される記録用紙のサイズを設定するための設定画面を示す。図２に示すこの記録用紙サイズの設定画面は、用紙サイズ表示キー１１５、取消表示キー１１６、特殊紙表示設定表示キー１１７、設定キー１１８を備えている。この設定画面は、図１に示したコピー表示画面上の記録用紙サイズキー１０４を数秒間ユーザが触れ続けることにより表示されるように構成される。なお、この記録用紙サイズを設定するための設定画面は、ユーザが数秒間触れ続けた記録用紙サイズキー１０４に表示された給紙トレイに対応する設定画面である。また、図２に示す記録用紙サイズの設定画面上の取消キー１１６又は設定キー１１８を押下することにより、図１に示すコピー表示画面の表示に戻るよう構成される。
【００２６】
次に、図３に、本実施例の給紙トレイに収納される記録用紙の種類を設定するための設定画面を示す。図３に示すこの記録用紙の種類を設定するための設定画面は、設定表示キー１１９、取消表示キー１２０、用紙サイズ設定表示キー１２１、設定表示キー１２２を備えている。この記録用紙の種類を設定するための設定画面は、図２に示す特殊紙表示キー１１７を押下することにより表示されるように構成される。なお、この記録用紙の種類を設定するための設定画面も、ユーザが数秒間触れ続けた記録用紙サイズキー１０４に表示された給紙トレイに対応する設定画面である。また、図３に示す用紙サイズ設定キー１２１を押下すれば、図２に示す記録用紙サイズの設定画面に、また、図３に示す取消キー１２０又は設定キー１２２を押下すれば、図１に示すコピー表示画面の表示に戻るように構成される。
【００２７】
次に、図１〜図４を用いて、本実施例の記録用紙サイズの設定画面及び記録用紙の種類を設定するための設定画面を用いた記録用紙サイズ及び種類の設定方法について以下に説明する。図４は、本実施例における記録用紙サイズ及び種類の設定方法の動作例を示すフローチャートである。まず、本実施例の操作部表示装置の操作画面上に、図１に示すコピー表示画面が表示されているものとする。そして、図４に示すステップ１では、このコピー表示画面上において、ユーザが、記録用紙のサイズ（用紙の縦横の向きも含む。）が表示された記録用紙サイズキー１０４のうち、ユーザが複写を希望する記録用紙サイズキー１０４を押下する。続いてステップ２に移行し、ステップ２では、操作部表示装置は、ステップ１においてユーザによって選択された用紙サイズと給紙トレイを用いて複写を行うことを画像形成装置本体に通知する。
【００２８】
続いて、ステップ３では、操作部表示装置は、ステップ１においてユーザにより押下された記録用紙サイズキー１０４が数秒後も触れられているかどうかを判断する。そして、操作部表示装置は、ステップ１においてユーザにより押下された記録用紙サイズキー１０４が数秒後も触れられていないと判断した場合は、ステップ１におけるユーザが複写を希望する記録用紙サイズと給紙トレイの設定のみで設定動作を修了する。その後は、従来の画像形成装置における複写動作によって複写が実行される。
また、操作部表示装置は、ステップ１においてユーザにより押下された記録用紙サイズキー１０４が数秒後も触れられていると判断した場合は、ステップ４へ移行し、操作部表示装置は、操作画面上に図２に示す記録用紙サイズを設定する設定画面を表示する（ステップ４）。
【００２９】
続いて、ステップ５において、ユーザは、操作部表示装置の操作画面上に表示された図２に示す記録用紙サイズを設定する設定画面上で、ステップ１でユーザが指定した給紙トレイに希望する用紙サイズが既に設定されているか否かをチェックする。図２に示す記録用紙サイズの設定画面上の用紙サイズ表示キー１１５のうち、表示キーの色が他と異なっている表示キーの示す用紙サイズが、既に設定されている記録用紙のサイズである。そして、ユーザが希望する用紙サイズが設定されていない場合は、この設定画面上で、ユーザが用紙サイズ表示キー１１５を押下することにより、希望する用紙サイズの設定をする。また、ユーザが希望する用紙サイズが既に設定されていればそのままステップ６へ移行する。
【００３０】
次に、ステップ６において、ユーザは、複写に用いる記録用紙の種類（特殊紙、再生紙、トレーシングペーパ）を設定する必要がなければ、図２に示す記録用紙サイズの設定画面上の特殊紙表示設定キー１１７に触れず、ステップ１２に移行し、設定キー１１８を押下して設定を終了する。この設定キー１１８の押下により、表示されている記録用紙サイズの設定画面から図１に示すコピー表示画面の表示に戻る（ステップ１３）。そして、従来の画像形成装置における複写動作によって複写が実行される。また、ステップ１２において、ユーザが再度記録用紙サイズの設定を希望する場合には、ユーザは、ステップ５に戻り、設定操作を続行する。
【００３１】
また、ステップ５、６、１２において、ステップ５で設定した記録用紙のサイズの設定を取り消したい場合には、図２に示す取消キー１１６を押下すればよく、取消キー１１６を押下すると、図２に示す記録用紙のサイズを設定する設定画面から図１に示すコピー表示画面の表示に戻る。そして、その後は、従来の画像形成装置における複写動作によって複写が実行される。
【００３２】
また、ステップ６において、ユーザは、複写に用いる記録用紙の種類を設定する必要があれば、図２に示す記録用紙サイズの設定画面上の特殊紙表示設定キー１１７を押下する。この特殊紙表示設定キー１１７が押下されると、図３に示すような記録用紙の種類を設定する設定画面が、操作部表示装置の操作画面上に表示される（ステップ７）。
【００３３】
続いて、ステップ８では、ユーザは、図３に示す記録用紙の種類を設定する設定画面上で、複写に用いる記録用紙の種類が既に設定されているか否かをチェックする。図３に示す記録用紙の種類の設定画面上の設定表示キー１１９のうち、表示キーの色が他と異なっている表示キーの示す用紙の種類が、既に設定されている記録用紙の種類である。そして、ユーザが希望する用紙の種類が設定されていない場合は、この設定画面上で、ユーザは、設定表示キー１１９を押下することにより、希望する用紙の種類の設定をする。また、ユーザが希望する用紙の種類が既に設定されていればそのままステップ９へ移行する。
【００３４】
ステップ９では、ユーザが複写に用いたい記録用紙のサイズの設定を再度希望する場合には、ユーザは、図３に示す記録用紙の種類を設定する画面上の用紙サイズ設定キー１２１を押下する。これにより図２に示す記録用紙サイズの設定画面が表示され、ステップ４に戻って、ユーザが記録用紙のサイズの設定をする。その後の動作は既に説明したものと同様である。
【００３５】
一方、ステップ９において、ユーザが複写に用いたい記録用紙のサイズの設定を再度希望しない場合には、ステップ１０へ移行する。ステップ１０では、ユーザは、図３に示す記録用紙の種類を設定する設定画面上の設定キー１２２を押下して、設定動作を終了させる。この設定キー１２２が押下されると、本実施例の操作部表示装置の操作画面は、図３に示す記録用紙の種類を設定する設定画面から図１に示すコピー表示画面の表示に戻る（ステップ１１）。そして、その後は、従来の画像形成装置における複写動作によって複写が実行される。
【００３６】
また、ステップ７〜１０において、ステップ８で設定した記録用紙の種類の設定を取り消したい場合には、図３に示す取消キー１２０を押下すればよく、取消キー１２０が押下されると、図３に示す記録用紙の種類を設定する設定画面から図１に示すコピー表示画面の表示に戻る（ステップ１１）。そして、その後は、従来の画像形成装置における複写動作によって複写が実行される。
【００３７】
以上説明したように、本実施例によれば、画像形成装置における操作部表示装置の設定画面上で、１つの表示キーを長く触れるという簡単な操作で複写に用いる記録用紙のサイズ及び／又は種類の設定画面を表示させ、容易に複写に用いる給紙トレイに収納された記録用紙のサイズ及び／又は種類の設定をすることが可能な設定画面を設けることにより、装置のコストアップ無しに、複写に用いる記録用紙のサイズ及び種類を容易かつ短時間に設定することが可能となる。
【００３８】
次に、本実施例を適用した画像形成装置の構成及び機能について図５を用いて以下に説明する。図５に示すように、この画像形成装置は、例えば原稿画像を複写する複写機能、通信回線を介して画像データを送受信するファクシミリ機能、及び、外部Ｉ／Ｆを介して外部装置から供給される画像データに基づいてプリントするプリンタ機能を備えた画像形成装置、すなわち複合型デジタル画像形成装置（以下、画像形成装置と略称する）として構成される。
【００３９】
図５は、この画像形成装置の内部構造を概略的に示す断面図である。図５に示されたように、本実施例を適用した画像形成装置、例えば、電子写真式デジタル画像形成装置５０は、原稿画像を読み取って画像データを生成する読み取り手段として機能する画像読み取り部、すなわちスキャナ部５０ａ、及び画像データに基づいて画像を形成する画像形成手段として機能する画像形成部すなわちプリンタ部５０ｂを有している。また、画像形成装置５０は、このスキャナ部５０ａの上部に、搬送手段としての原稿自動給送装置５１を備え、スキャナ部５０ａの後述する原稿台すなわち原稿テーブルに対して開閉可能に形成されて読み取り対象物としての原稿Ｄを原稿台に向けて１枚ずつ給送するとともに、原稿台に載置された原稿Ｄを原稿台にも密着させる原稿押さえとして機能するようにしている。
【００４０】
スキャナ部５０ａは、その上部に、閉じた状態にある原稿自動給送装置５１に対向されるとともに原稿Ｄがセットされる透明なガラスからなる原稿テーブル５２と、原稿テーブル５２の一端に配置されるとともに原稿テーブル５２に原稿Ｄをセットすべき位置を示す原稿スケール５３と、を有している。
【００４１】
原稿テーブル５２の下方には、原稿テーブル５２に載置された原稿Ｄを照明する露光ランプ５４、露光ランプ５４からの光ビームを原稿Ｄに集光させるための補助反射板５８、及び、原稿Ｄからの反射ビームを図中左方向に折り曲げる第１ミラー５６などが配置されている。露光ランプ５４、補助反射板５８及び第１ミラー５６は、第１キャリッジ５７に固定されており、第１キャリッジ５７の移動にともなって原稿テーブル５２と平行に移動可能に配置されている。なお、第１キャリッジ５７は、図示しない歯つきベルト等を介して図示しないパルスモータの駆動力が伝達されて、原稿テーブル５２に沿って平行に移動される。
【００４２】
原稿テーブル５２の図中左方、すなわち第１ミラー５６により反射された反射ビームが案内される方向には、第２キャリッジ５９が配設されている。第２キャリッジ５９には、第１ミラー５６により案内される原稿Ｄからの反射ビームを下方に折り曲げる第２ミラー６０、及び図中右方に折り曲げる第３ミラー６１が互いに直角に配置されている。第２キャリッジ５９は、第１キャリッジ５７を駆動する図示しない歯つきベルトなどにより第１キャリッジ５７に従動されるとともに、第１キャリッジ５７に対して１／２の速度で原稿テーブル５２に沿って平行に移動される。
【００４３】
第１キャリッジ５７の下方であって、第２キャリッジ５９を介して折り返されたビームの光軸を含む面内には、第２キャリッジ５９からの反射ビームを所定の倍率で結像させる結像レンズ６２、及び、結像レンズ６２により集束性が与えられた反射ビームを電気信号すなわち画像データに変換する複数のＣＣＤイメージセンサからなるラインセンサ６３が配置されている。
【００４４】
なお、ここでは、ラインセンサ６３における複数のＣＣＤイメージセンサが配列されている方向を主走査方向とし、第１キャリッジ５７及び第２キャリッジ５９が移動する方向を副走査方向とする。本実施例では、この読み取り装置部分は、スキャナ部５０ａを固定させ、原稿自動給送装置５１により、原稿を搬送させながら画像を読み取る、シートスルータイプの画像読み取りシステムとなっている。
【００４５】
次に、プリンタ部５０ｂについて説明する。プリンタ部５０ｂは、感光体ドラム１２と、帯電チャージャ１３と、現像ユニット１４、１５と、除電ランプ（ＰＴＬ）１７と、転写チャージャ１８と、分離チャージャ１９と、イレーサ２０と、クリーニングユニット２１と、ポリゴンミラー（レーザ光発生器）２２と、光学系（レンズ）２３と、を有し、画像メモリに記憶された画像データの画像形成、出力を行う。
【００４６】
すなわち、感光体ドラム１２を矢示方向に回転させると同時に、感光体ドラム１２上に付着した残留トナー及び不均一な電位が帯電チャージャ１３及び現像ユニット１４、１５に到達しないように、除電ランプ（ＱＬ）１６、転写前除電ランプ（ＰＴＬ）１７、転写チャージャ１８、分離チャージャ１９、イレーサ２０、及びクリーニングユニット２１を駆動して、除電ランプ１６を通過した後の感光体ドラム１２の表面電位が略ゼロになるようにする。
【００４７】
その後、感光体ドラム１２の表面を帯電チャージャ１３により一様に帯電すると共に、画像メモリに記憶された画像データを読み出して、それに応じて図示しない半導体レーザからレーザ光を射出させる。半導体レーザから射出されるレーザ光は、図示しないシリンダレンズによって集光されて回転走査するポリゴンミラー（レーザ光発生器）２２に入射し、反射光が光学系（レンズ）２３、及びミラー２４を介して感光体ドラム１２の表面を照射して静電潜像を形成する。
【００４８】
次いで、感光体ドラム１２上に形成された潜像を、非画像部（画像作成領域からはみ出した不要部分）の電荷をイレーサ２０によって除去した後、黒トナーにより現像を行う黒現像ユニット１４あるいはカラートナーにより現像を行うカラー現像ユニット１５よりトナーを付着して可視像化する。このとき、現像バイアス電位を変化させることにより、画像の濃淡を調整することができる。
【００４９】
他方において、図示しないメインモータの駆動を選択的に取り出せる給紙クラッチのＯＮにより呼出コロ２５及び３個の給紙コロ２６のいずれかを駆動し、予め選択された給紙段（後述する）にセットされている記録紙を停止中のレジストローラ対２７に向けて給紙させる。レジストローラ対２７の手前にはレジストセンサ２８が配設されており、レジストセンサ２８は例えば反射型フォトセンサであり、その対向位置に記録紙の先端が到達するとＯＮ状態になる。それから、一定時間経過後に給紙クラッチをＯＦＦ状態に戻して、搬送中の記録紙を停止させる。
【００５０】
なお、給紙クラッチのＯＦＦのタイミングは、レジストセンサ２８とレジストローラ対２７の間を記録紙が搬送される時間より長くとられている。従って、記録紙は先端がレジストローラ対２７に突き当てられ、先端側にたわみを生じてスキュー等を防止する状態で待機する。その後、感光体ドラム１２上の画像先端に合わせたタイミングでレジストクラッチをＯＮ状態にし、それによってレジストローラ対２７が回転駆動されることにより、待機中の記録紙を転写部へ向けて再搬送する。
【００５１】
記録紙が転写部に到達すると、転写チャージャ１８の作用によって感光体ドラム１２上のトナー像を紙面上に転写し、続いて転写チャージャ１８と一体に保持されている分離チャージャ１９の作用によって紙面上の帯電電位を下げて記録紙と感光体ドラム１２との密着力を低下させた後、分離爪２９によって、記録紙を感光体面から分離する。
【００５２】
次いで、記録紙を２個のローラによって張装された搬送ベルト３０によって定着部へ送り、定着ローラ３１によってトナー像を熱定着し、その後コピーモードとして片面モードが選択されていれば切替爪３２の切り替えによって下側の再給紙用搬送経路３３へ送り込む。
【００５３】
なお、画像転写後の感光体ドラム１２上の残留トナーはクリーニングユニット２１を構成するクリーニングブラシ２１ａ、クリーニングブレード２１ｂによって除去してトナー回収タンク２１ｃに回収させ、更に、残存電荷を消去するために感光面を除電ランプ１６によって前面露光させる。
【００５４】
ところで、この複写機には、特定サイズの記録紙のみをまとめて収納できる通常の給紙カセットとして、それぞれ異なるサイズの記録紙をセットした３つの給紙カセット３４〜３６を着脱可能に備え、またいずれの給紙カセットにも収納されていない記録紙、すなわち不特定サイズの記録紙をセットできる手差しテーブル（手差しトレイ）３７をも備えている。
【００５５】
そして、各給紙カセット３４〜３６のいずれかに収納されている記録紙を用いてコピーする場合は、カセットサイズを図示しない操作パネル上のサイズ選択キーによって選択した後、コピースタートキーを押下することにより、給紙カセットから記録紙の給紙が行われる。
【００５６】
なお、３８ａ〜３８ｃは、各給紙カセット３４〜３６の各収納用紙サイズを検知するためのサイズ検知センサであり、例えば５連のフォトインタラプタを使用する。また、各給紙カセット３４〜３６の先端部には、それぞれ図示しないサイズ識別用の遮光板が付設されている。この遮光板はカセット内に収納されるべき記録紙のサイズ毎に異なる切欠部を有している。
【００５７】
サイズ検知センサ３８ａ〜３８ｃは、給紙カセット３４〜３６が装着されると、遮光板の遮光部を挟んだフォトインタラプタのみが光路を遮断されるため、それに応じた信号（コード）をそれぞれ制御部へ出力することができる。なお、制御部はＣＰＵ等である。一方、不特定サイズの記録紙を用いてコピーする場合には、手差しテーブル３７を仮想線で示す閉じた状態から矢示Ａ方向に開いて実線で示す使用状態にした後、その上面に所望の記録紙をセットして、コピースタートキーを押下することにより、手差しテーブル３７から記録紙の給紙が行われる。
【００５８】
なお、手差しテーブル３７が開く方向に回動すると、第１給紙カセット３４に設けられている記録紙載置用の底板を持ち上げていた底板上昇アーム３９がそれに連動して下降する。また、この複写機の手差しテーブル３７に対向する位置には、手差しテーブル３７の開閉を検知するための図示しない開閉検知センサが設置されている。
【図面の簡単な説明】
【００５９】
【図１】本実施例の画像形成装置の操作部表示装置におけるコピー表示画面を示した図である。
【図２】本実施例の操作部表示装置における画像形成装置に設けられた各給紙トレイに収納される記録用紙の用紙サイズを設定するための設定画面を示した図である。
【図３】本実施例の操作部表示装置における画像形成装置に設けられた各給紙トレイに収納される記録用紙の種類を設定するための設定画面を示した図である。
【図４】本実施例における記録用紙サイズ及び種類の設定方法の動作例を示すフローチャートである。
【図５】本実施例を適用した画像形成装置の内部構造を概略的に示す断面図である。
【符号の説明】
【００６０】
１０１    原稿種類キー
１０２    濃度キー
１０３    特殊原稿送りキー
１０４    記録用紙サイズキー
１０５    変倍キー
１０６    シートキー
１０７    スタックキー
１０８    ステープルキー
１０９    パンチキー
１１０    両面／集約／分割キー
１１１    表紙／合成キー
１１２    編集キー
１１３    両面／集約／分割キー
１１４    変倍キー
１１５    記録用紙サイズ表示キー
１１６    取消表示キー
１１７    特殊紙表示設定表示キー
１１８    設定表示キー
１１９    設定表示キー
１２０    取消表示キー
１２１    記録用紙サイズ設定表示キー
１２２    設定表示キー
【図１】
2005308829.tif 000003
【図２】
2005308829.tif 000004
【図３】
2005308829.tif 000005
【図４】
2005308829.tif 000006
【図５】
2005308829.tif 000007